(57)【要約】【課題】ある生体情報の測定値や測定波形に異常が生じた場合であっても、その原因をより確実に把握することが出来る生体情報モニタ、及びプログラムを提供すること。【解決手段】インターフェイス部１６は、第１生体情報を測定するための第１センサＳ１、及び第２生体情報を測定するための第２センサＳ２、と接続可能に構成されている。制御部１１は、第１センサＳ１から取得した生体信号を基に算出した第１生体情報が異常となったことを検出した場合、第２センサＳ２を駆動して前記第２生体情報の測定のための処理を開始する。【選択図】図１
2019165913.tif 000002
【特許請求の範囲】
【請求項１】
第１生体情報を測定するための第１センサ、及び第２生体情報を測定するための第２センサ、と接続可能に構成されたインターフェイス部と、
前記第１センサから取得した生体信号を基に算出した前記第１生体情報が異常となった場合、前記第２センサを駆動して前記第２生体情報の測定のための処理を開始する制御部と、
を備える、生体情報モニタ。
【請求項２】
前記第１生体情報は連続的に測定され、前記第２生体情報は間欠的に測定される、ことを特徴とする請求項１に記載の生体情報モニタ。
【請求項３】
前記制御部は、前記第１生体情報が異常であるが前記第２生体情報が正常である場合、前記第１センサの装着異常に係る報知を行う、ことを特徴とする請求項１又は請求項２に記載の生体情報モニタ。
【請求項４】
前記制御部は、前記第１生体情報が異常であるが前記第２生体情報が正常である場合、テクニカルアラームを出力する、ことを特徴とする請求項３に記載の生体情報モニタ。
【請求項５】
前記制御部は、前記第１生体情報が異常となった場合に患者異常のアラームの出力を開始し、前記第２生体情報も異常であると判断した後にアラームのボリュームを上げる又はより緊急度の高いアラームを出力する、ことを特徴とする請求項１または請求項２に記載の生体情報モニタ。
【請求項６】
前記制御部は、前記第１生体情報が異常となって前記第２生体情報が正常である場合、患者異常のアラームを出力すると共に、前記第１センサの装着異常に関する表示を行う、ことを特徴とする請求項３に記載の生体情報モニタ。
【請求項７】
前記制御部は、前記第１生体情報の異常と前記第２生体情報の異常の双方を検出した後に、患者異常のアラームの出力を開始する、ことを特徴とする請求項１または請求項２に記載の生体情報モニタ。
【請求項８】
前記第２生体情報は、非観血血圧である、ことを特徴とする請求項１〜７のいずれか１項に記載の生体情報モニタ。
【請求項９】
第１生体情報を測定するための第１センサ、及び第２生体情報を測定するための第２センサ、と接続可能に構成されたインターフェイス部と、
前記第１センサから取得した生体信号が異常となった場合、前記第２センサを駆動して前記第２生体情報の測定のための処理を開始する制御部と、
を備える、生体情報モニタ。
【請求項１０】
前記制御部は、前記生体信号が異常であるが前記第２生体情報が正常である場合、前記第１センサの装着異常に係る報知を行う、ことを特徴とする請求項９に記載の生体情報モニタ。
【請求項１１】
前記制御部は、前記生体信号が異常となった場合に患者異常のアラームの出力を開始し、前記第２生体情報も異常であると判断した後にアラームのボリュームを上げる又はより緊急度の高いアラームを出力する、ことを特徴とする請求項９に記載の生体情報モニタ。
【請求項１２】
複数のセンサと接続可能に構成されたインターフェイス部と、
前記複数のセンサから取得した複数種類の生体信号を基に複数種類の生体情報を測定し、当該複数種類の生体情報のうちの一部のみが異常となった場合、停止中であったセンサを駆動して他の生体情報の測定を開始する制御部と、
を備える、生体情報モニタ。
【請求項１３】
コンピュータに、
前記コンピュータに接続した第１センサから生体信号を取得し、当該生体信号を基に算出した第１生体情報が異常となったことを検出するステップと、
前記第１生体情報が異常となった場合に、前記コンピュータに接続した第２センサを駆動して第２生体情報の測定のための処理を開始するステップと、
を実行させる、プログラム。
【発明の詳細な説明】
【技術分野】
【０００１】
本発明は生体情報モニタ、及びプログラムに関する。
【背景技術】
【０００２】
患者の状態を把握するための情報として各種のバイタルサイン（血圧、体温、呼吸、脈拍数、動脈血酸素飽和度、等）が広く利用されている。生体情報モニタは、患者に取り付けられた各種のセンサ（カフ、心電図用電極、呼吸用マスク、ＳｐＯ２プローブ、等）から取得した生体信号を基に、バイタルサイン（心電図、脈拍、呼吸、体温、等）の測定値や測定波形を算出して表示する。また生体情報モニタは、バイタルサインの測定値や測定波形に異常が生じた場合、アラームや警告メッセージを出力する。
【０００３】
患者の状態を把握するための生体情報モニタの一例として、例えば特許文献１が挙げられる。
【先行技術文献】
【特許文献】
【０００４】
【特許文献１】特開２０１５−０００１１０号公報
【特許文献２】特開２０１６−０８７３２６号公報
【発明の概要】
【発明が解決しようとする課題】
【０００５】
患者に取り付けられるセンサの種類は、その測定目的や患者の状態に応じて異なる。例えば、患者の指先にＳｐＯ２（動脈血酸素飽和度）プローブのみが取り付けられ、生体情報モニタがＳｐＯ２のみを測定するケースがある。
【０００６】
この場合、仮に患者に心停止が生じた場合には、脈拍アラームやプローブ確認アラームのみしか発生しない。またＳｐＯ２プローブの装着不良が生じた場合にも同様のアラームが発生してしまう。そのため、ＳｐＯ２プローブの装着不良が生じたのか、患者が急変したのか、が判断しづらい状態が生じていた。
【０００７】
すなわち、ある生体情報の測定値や測定波形に異常が生じた場合であっても、その原因をより確実に把握することが出来ないケースがあった。
【０００８】
なお上述の問題は、ＳｐＯ２を測定する場合に限られるものでは無く、任意の生体情報を測定している際にも生じ得る問題である。
【０００９】
そこで本発明は、ある生体情報の測定値や測定波形に異常が生じた場合であっても、その原因をより確実に把握することが出来る生体情報モニタやプログラムを提供することを主たる目的とする。
【課題を解決するための手段】
【００１０】
本発明に係る生体情報モニタの一態様は、
第１生体情報を測定するための第１センサ、及び第２生体情報を測定するための第２センサ、と接続可能に構成されたインターフェイス部と、
前記第１センサから取得した生体信号を基に算出した前記第１生体情報が異常となったことを検出した場合、前記第２センサを駆動して前記第２生体情報の測定のための処理を開始する制御部と、
を備えるものである。
【００１１】
制御部は、第１生体情報が異常となった場合、第２センサを駆動し、第２生体情報の測定のための処理を開始する。この第２生体情報が正常であるか否かの情報があることにより、患者の身体状態に異常が生じているのか、または第１センサの装着異常が生じているのか、を把握しやすくなる。すなわち第２生体情報を参照することにより、患者に生じている状況をより正確に把握することができる。
【発明の効果】
【００１２】
本発明では、ある生体情報の測定値や測定波形に異常が生じた場合であっても、その原因をより確実に把握することが出来る生体情報モニタ、及びプログラムを提供することができる。
【図面の簡単な説明】
【００１３】
【図１】実施の形態１にかかる生体情報モニタ１の構成を示すブロック図である。
【図２】実施の形態１にかかる生体情報モニタ１の動作を示すフローチャートである。
【図３】実施の形態１にかかる生体情報モニタ１の動作概念を示す図である。
【図４】実施の形態１にかかる生体情報モニタ１の動作概念を示す図である。
【図５】実施の形態１にかかる生体情報モニタ１の動作概念を示す図である。
【図６】実施の形態１にかかる生体情報モニタ１の動作概念を示す図である。
【発明を実施するための形態】
【００１４】
以下、図面を参照して本発明の実施の形態について説明する。図１は、本実施の形態に係る生体情報モニタ１を示すブロック図である。生体情報モニタ１は、患者Ｐに接続（例えば貼付）された各種センサ（後述のセンサＳ１〜Ｓ２）を介して生体信号を取得し、生体信号を基に各種の生体情報（バイタルサインの測定値や測定波形）を取得して表示する。生体情報モニタ１は、各種センサのコネクタと接続するためのコネクタ挿入口を有する。ここで生体情報とは、例えば血圧、ＳｐＯ２（動脈血酸素飽和度）、呼吸、体温、脈拍、等の測定波形や測定値である。なお生体情報モニタ１は、ベッドサイドモニタであってもよく、患者Ｐが携帯する医用テレメータであってもよい。
【００１５】
センサＳ１及びセンサＳ２は、患者Ｐに接続（例えば貼付や巻き付けられての固定）されて、患者の各種の生体信号を取得する。患者Ｐと接続するセンサは少なくとも２つ以上であればよい。ここで１つ目のセンサＳ１（第１センサ）は、好適には患者Ｐの生体情報（第１生体情報）を連続的に測定するためのものである。また２つ目のセンサＳ２（第２センサ）は、好適には患者Ｐの生体情報（第２生体情報）を間欠的に測定するためのものである。すなわち生体情報モニタ１は、少なくとも２種類の生体情報（第１生体情報、第２生体情報）を測定するものであり、以下の例では第１生体情報はＳｐＯ２の測定値や測定波形であり、第２生体情報は非観血血圧（ＮｉＢＰ）測定法により測定した血圧値であるものとする。
【００１６】
以下の説明ではセンサＳ１（第１センサ）は、ＳｐＯ２を測定するためのＳｐＯ２プローブとする。またセンサＳ２（第２センサ）は、非観血血圧（ＮｉＢＰ）を測定するためのカフとする。以下の説明では、患者Ｐの指先にＳｐＯ２プローブが装着されていると共に、カフが患者Ｐの上腕に取り付けられているものとする。なお患者Ｐに対して、心電図測定用の電極や呼吸マスク等の他のセンサを取り付けても構わない。なお、図示しないもののカフの制御に用いる各種の構成（圧力センサ、ポンプ、電磁弁等）も適宜備えられているものとする。
【００１７】
生体情報モニタ１は、制御部１１、メモリ１２、報知部１３、インターフェイス部１６、及び記憶部１７を備える。報知部１３は、ディスプレイ１４及びスピーカ１５を備える。なお図示しないものの生体情報モニタ１には、ボタンやツマミ等の入力操作用のユーザインターフェイスが設けられていてもよい。
【００１８】
ディスプレイ１４は、生体情報モニタ１に設けられた表示装置であり、制御部１１の制御によって各種の生体情報の測定波形や測定値が表示される。なおディスプレイ１４は、いわゆるタッチディスプレイであってもよい。スピーカ１５は、制御部１１の制御によって各種のアラーム音や操作音を出力する。
【００１９】
メモリ１２は、例えばＲＯＭ（Ｒｅａｄ Ｏｎｌｙ  Ｍｅｍｏｒｙ）やＲＡＭ（Ｒａｎｄｏｍ  Ａｃｃｅｓｓ  Ｍｅｍｏｒｙ）である。メモリ１２は、制御部１１によるプログラムの実行の際の作業領域となりえる。またメモリ１２は、制御部１１が実行する各種のプログラムが記憶されていてもよい。
【００２０】
インターフェイス部１６には、コネクタを介してＳｐＯ２プローブが取得した生体信号が入力される。またインターフェイス部１６には、コネクタを介してカフによる加圧が生じた後に血圧測定のための生体信号（カフの圧脈波）が入力される。
【００２１】
なおインターフェイス部１６は、ＳｐＯ２プローブやカフから無線通信により各種の生体信号を受信してもよい。この場合、ＳｐＯ２プローブやカフが各種の無線通信規格に対応し、インターフェイス部１６は当該無線通信規格に従って送信された生体信号を受信する。またインターフェイス部１６が無線通信機能を実装している場合、他の装置（例えばセントラルモニタ）と各種のデータの送受信を行ってもよい。
【００２２】
記憶部１７は、生体情報モニタ１内に設けられた二次記憶装置であり、例えばハードディスクドライブ等である。なお記憶部１７は、生体情報モニタ１に着脱可能な構成であってもよい。記憶部１７には、制御部１１から各種のデータが書き込まれると共に、制御部１１から任意のタイミングでデータが読み出される。記憶部１７は、例えば制御部１１が実行するプログラムを記憶する。
【００２３】
制御部１１は、生体情報モニタ１の制御を行う。制御部１１の処理は、一般的に図示しないプロセッサ（ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ））がメモリ１２や記憶部１７からプログラムを読み出し、プログラムをメモリ１２に展開して実行することにより実現される。なお制御部１１の処理の一部は、各種のハードウェア資源（例えばＡＳＩＣやＦＰＧＡ等の回路）によって実現されてもよい。
【００２４】
ここでプログラムとは、様々なタイプの非一時的なコンピュータ可読媒体（non-transitory computer readable medium）を用いて格納され、コンピュータ（生体情報モニタ１）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２５】
以下、制御部１１の制御の詳細について説明する。制御部１１には、ＳｐＯ２プローブが取得した生体信号がインターフェイス部１６を介して入力される。制御部１１は、既知の測定値算出アルゴリズムを用いて、ＳｐＯ２の測定値／測定波形（第１生体情報の一例）を算出する。制御部１１は、算出したＳｐＯ２の測定値や測定波形をディスプレイ１４に表示する。制御部１１は、当該算出処理を連続的に行う（換言すると常時行う）。
【００２６】
また制御部１１は、算出したＳｐＯ２の測定値または測定波形（第１生体情報）が異常となっているかを常時判定する。当該判定は、ＳｐＯ２の測定値が所定の閾値（例えば９０％）以下となっているか等の一般的な処理により実現すればよい。
【００２７】
制御部１１は、ＳｐＯ２の測定値または測定波形が異常となったことを検出した場合、スピーカ１５を介して患者異常（患者の状態の異常）に関するアラームを出力する。また制御部１１は、ＳｐＯ２に関する警告メッセージ等をディスプレイ１４に表示してもよい。異常時のアラームや警告メッセージ等の出力の詳細については、図３〜図６を参照して改めて説明する。
【００２８】
一般的にカフを用いた非観血血圧測定は、圧迫を伴うために連続的に行われるのではなく、間欠的に行われる。すなわちカフは患者に取り付けられているものの、カフによる加圧は所定のタイミング（例えば３０分に１回のみ、または医療従事者により測定開始ボタンが押された場合のみ）に行われる。
【００２９】
制御部１１は、当該状況下においてＳｐＯ２の測定値または測定波形が異常となったことを検出した場合、カフを駆動して（加圧を開始して）非観血血圧測定のための処理を開始する。制御部１１は、カフに空気を流入するための制御信号を送信すること等により加圧を開始すればよい。
【００３０】
制御部１１は、カフから血圧測定に関する生体信号を取得し、既知の手法を用いて各血圧値（第２生体情報の一例であり、例えば最高血圧値、平均血圧値、最低血圧値）を算出する。制御部１１は、各血圧値が異常であるかを判定する。当該判定は、各血圧値と閾値を比較するなどの一般的な手法により実現すればよい。
【００３１】
制御部１１は、ＳｐＯ２の測定値や測定波形（第１生体情報）に加えて血圧値（第２生体情報）が異常であることを検出した場合、患者異常に関する報知（ディスプレイ１４への表示、スピーカ１５からのアラーム音の出力）を行う。
【００３２】
一方、ＳｐＯ２の測定値や測定波形（第１生体情報）は異常であるが血圧値（第２生体情報）が異常ではないことを検出した場合、ＳｐＯ２プローブ（第１センサ）の装着異常に関する報知（ディスプレイ１４への表示、スピーカ１５からのアラーム音の出力）を行う。当該報知の詳細は、図３〜図６を用いて説明する。なお装着異常とは、完全にＳｐＯ２プローブが外れている状態や外れかかっている状態、ＳｐＯ２プローブと人体との間に異物が入っている状態、等を含む概念である。
【００３３】
ＳｐＯ２を常時測定している場合に測定値や測定波形が異常になった場合、患者が急変したのか、プローブ外れ等の装着不良が生じたか、を切り分けることが難しい。しかしながら上述の構成において制御部１１は、ＳｐＯ２の測定値や測定波形（第１生体情報）が異常であると検出した場合、停止していたカフ（第２センサ）を駆動して血圧値（第２生体情報）の測定を開始する。ＳｐＯ２（動脈血酸素飽和度）も血圧値も患者Ｐの循環器系の正常性を示すための指標と言える。そのため、血圧値も異常であった場合には患者が急変した可能性が高く、血圧値が正常である場合にはＳｐＯ２プローブ（第１センサ）の装着異常の可能性が高い。このように停止していたカフ（第２センサ）を駆動することにより、患者の状態をより正確に把握しやすくなる。
【００３４】
続いて図２のフローチャートを参照して、本実施の形態に係る生体情報モニタ１の動作を改めて説明する。制御部１１には、ＳｐＯ２プローブからＳｐＯ２に関する生体信号が入力される。制御部１１は、当該生体信号を基にＳｐＯ２の測定値や測定波形を算出する（Ｓ１）。制御部１１は、ＳｐＯ２の測定値や測定波形が異常ではないかを判定する（Ｓ２）。図２の例では、ＳｐＯ２の測定値（第１生体情報）が９０％未満となった場合に異常となったと判定する（Ｓ２）。
【００３５】
制御部１１は、ＳｐＯ２の測定値と閾値（９０％）を比較する。制御部１１は、ＳｐＯ２の測定値／測定波形が異常ではない場合（Ｓ２：Ｎｏ）、継続的にＳｐＯ２の測定を行う（Ｓ１）。
【００３６】
ＳｐＯ２の測定値が異常となった場合（Ｓ２：Ｙｅｓ）、制御部１１は、カフ（センサ２）の駆動を開始して非観血血圧（ＮｉＢＰ）の測定を開始する（Ｓ３）。なお制御部１１は、図示しないものの、このタイミングで患者異常のアラームを出力させてもよい。その後に制御部１１は、血圧値が異常であるかを判定する。当該判定も例えば閾値と血圧値を比較することにより行えばよい。
【００３７】
血圧値が異常である場合（Ｓ４：Ｙｅｓ）、制御部１１は患者の身体由来の異常であると判断してアラームを出力する（Ｓ５）。なお制御部１１は、アラームの出力と共に患者の身体状態が異常であることをディスプレイ１４に表示してもよい。
【００３８】
一方、血圧値は正常である場合（Ｓ４：Ｎｏ）、ＳｐＯ２プローブの装着不良によりＳｐＯ２の測定値や測定波形が異常になっている可能性がある。この場合に制御部１１は、ＳｐＯ２プローブの装着不良の可能性もあることを報知部１３を介して報知する（Ｓ６）。報知のバリエーションについては図３〜図６を参照して説明する。
【００３９】
続いて図３〜図６を参照して、生体情報モニタ１のアラーム出力や表示制御のバリエーションについて説明する。
【００４０】
はじめに図３と図４を参照して、ＳｐＯ２と血圧値（非観血血圧）の双方が異常となる場合のアラーム出力や表示について説明する。図３は、生体情報モニタ１の第１の動作例を示す概念図である。制御部１１は、図２を参照して説明したようにＳｐＯ２の測定値や測定波形を常時算出する。以下の図３から図６の説明ではＳｐＯ２の測定値のみを考慮するものとする。同様に血圧値についても測定値のみを考慮し、測定波形については考慮しないものとする。すなわち、以下の説明では第１生体情報をＳｐＯ２の測定値とし、第２生体情報を非観血方式で取得した血圧値とする。
【００４１】
制御部１１がタイミングＴ１１においてＳｐＯ２の測定値の異常を検出したとする。これに対応して制御部１１は、カフ（センサ２）の駆動を開始し、非観血血圧の測定を開始する（Ｔ１１）。また制御部１１は、ＳｐＯ２の測定値が異常であることを通知するアラームをスピーカ１５を介して出力すると共に、ＳｐＯ２の測定値の異常を知らせるメッセージ等をディスプレイ１４上に表示する（Ｔ１１）。
【００４２】
制御部１１は、カフによる加圧の終了後に血圧値の測定を開始し、血圧値が異常であるかを判定する。制御部１１は、タイミングＴ１２において血圧値が異常であることを検出する。これに応じて制御部１１は、患者異常を示すアラームを継続して出力すると共に、血圧値とＳｐＯ２の測定値の双方が異常であることをディスプレイ１４上に表示する。
【００４３】
図４は、図３の動作例の変形例を示す概念図である。タイミングＴ１１までの動作は、図３に示す動作と同様である。制御部１１は、タイミングＴ１３においてＳｐＯ２の測定値に加えて血圧値が異常であることを検出する。この場合、患者の循環器系に重篤な異常が生じている可能性が非常に高い。そこで制御部１１は、タイミングＴ１３において更に緊急度の高い音色にアラームの音（患者異常を示すアラーム）を切り替えて緊急事態であることを報知する。なお制御部１１は、アラームのボリュームを上げることや緊急であることを示す表示をディスプレイ１４上に表示することによって緊急事態であることを報知してもよい。このように第１生体情報（ＳｐＯ２の測定値）に加えて第２生体情報（血圧値）も異常であることを検出した際に、アラームの緊急度やボリュームを上げることにより、医療従事者に緊急度の高い状態が生じている可能性をより速く伝えることができ、速やかな対応を促すことができる。
【００４４】
続いて図５や図６を参照してＳｐＯ２のみが異常であった場合のアラーム出力や表示について説明する。はじめに図５を参照する。制御部１１は、タイミングＴ２１においてＳｐＯ２の測定値の異常を検出したとする。これに対応して制御部１１は、カフ（センサ２）の駆動を開始し、非観血血圧の測定を開始する（Ｔ２１）。また制御部１１は、ＳｐＯ２の測定値が異常であることを通知するアラームをスピーカ１５を介して出力すると共に、測定値の異常を知らせる表示をディスプレイ１４上に表示する（Ｔ２１）。
【００４５】
制御部１１は、タイミングＴ２２において血圧値が正常であることを検出する。すなわち制御部１１は、ＳｐＯ２の測定値は異常であるが血圧値は正常であることを検出する。この場合、ＳｐＯ２プローブが外れただけの可能性がある。そこで制御部１１は、ＳｐＯ２の測定値が異常であることをディスプレイ１４に表示すると共に、患者異常を示すアラームを停止してＳｐＯ２プローブの装着異常を示すテクニカルアラームの出力を開始する（Ｔ２２）。なお、制御部１１はＳｐＯ２プローブの装着異常を示す表示をディスプレイに表示してもよい。このようにテクニカルアラームを出力することにより、ＳｐＯ２プローブの装着異常が生じている可能性が高いことをより明確に医療従事者に伝えることができる。これにより医療従事者（医師、看護士等）は、ＳｐＯ２プローブの再装着等の適切な対処を速やかに行うことができる。
【００４６】
図６は、図５の動作例の変形例を示す概念図である。タイミングＴ２１までの動作は、図５に示す動作と同様である。制御部１１は、タイミングＴ２３においてＳｐＯ２の測定値が異常であるものの、血圧値が正常であることを検出する。この場合、ＳｐＯ２プローブが外れただけの可能性があるが、患者の身体状態に異常が生じていることも否定できない。そこで制御部１１は、患者異常を示すアラームを出力し続け、ＳｐＯ２の測定値の異常をディスプレイ１４に表示すると共に、ディスプレイ１４上にＳｐＯ２プローブが単に外れている可能性を示唆するメッセージを表示する（Ｔ２３）。
【００４７】
なお図５及び図６の動作はあくまでも一例にすぎない。制御部１１は、ＳｐＯ２の測定値が異常であるが血圧値（非観血血圧）が正常である場合、ＳｐＯ２プローブの装着異常の可能性を音や表示を用いた任意の手法で報知すればよい。また制御部１１は、インターフェイス部１６の通信機構を制御し、他の装置（例えば看護士の端末）にＳｐＯ２プローブの装着異常の可能性を知らせるメッセージ（メール等）を送信することによって報知してもよい。
【００４８】
また図３〜図６の例では、ＳｐＯ２の測定値が異常となったタイミングでアラームが出力していたが必ずしもこれに限られない。すなわち制御部１１は、ＳｐＯ２の測定値と血圧値の双方の情報が出た後にアラームを出力させてもよい。例えば制御部１１は、ＳｐＯ２の測定値と血圧値の双方が異常となった後に、患者異常を示すアラームを出力させると共に患者異常を示す表示を行ってもよい。また制御部１１は、ＳｐＯ２の測定値が異常であるが血圧値が正常であることを検出した後に、アラームの出力をはじめとする処理（例えばテクニカルアラームの出力、患者異常を示すアラームの出力と共にＳｐＯ２プローブの装着異常を示す表示）を開始してもよい。
【００４９】
続いて本実施の形態にかかる生体情報モニタ１の効果について説明する。上述のように制御部１１は、第１生体情報（上述の例ではＳｐＯ２の測定値や測定波形）が異常となった場合、第２センサ（上述の例ではＮｉＢＰ測定用のカフ）を駆動し、第２生体情報（上述の例では非観血血圧値）の測定のための処理を開始する。この第２生体情報が正常であるか否かの情報があることにより、患者の身体状態に異常が生じているのか、または第１センサ（上述の例ではＳｐＯ２プローブ）の装着異常が生じているのか、を把握しやすくなる。すなわち第２生体情報を参照することにより、患者に生じている状況をより正確に把握することができる。
【００５０】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００５１】
例えばカフによる非観血の血圧測定において、減圧式測定では無く、直線加圧測定方式（加圧中に血圧を測定する方式）を用いてもよい。
【００５２】
上述したが第１生体情報はＳｐＯ２の測定値や測定波形に限られず、例えば呼吸数／呼吸波形、脈拍数、体温、等であってもよい。また第２生体情報も必ずしも非観血血圧に限定されず、第２生体情報は例えば特許文献２に表わされるような血液再充填時間に関する情報であってもよい。すなわち第２生体情報は、例えば圧迫を伴うような任意の測定方法により算出されるものであればよい。
【００５３】
（他の実施例１）
上述の説明では、第１生体情報（図３〜図６の例ではＳｐＯ２の測定値）が異常となったことを契機として第２センサを駆動したが、必ずしもこれに限られず制御部１１は第１センサから取得した生体信号が異常となったことを契機として第２センサを駆動してもよい。
【００５４】
生体信号が異常とは、例えば第１センサから取得した生体信号が瞬断されることが続いている場合（例えば瞬断回数が所定時間内に閾値となる回数以上生じた場合）、第１センサから取得した生体信号が所定レベル以上のノイズを含んでいる場合、等である。インターフェイス部１６は、一般的なノイズ検出機構や信号レベル検出機構を有することにより当該異常を検出すればよい。
【００５５】
制御部１１は、第１センサから取得した生体信号が異常となった場合、第２センサ（カフ）を起動し、図３〜図６に示すような各種のアラーム出力や表示制御を行えばよい。例えば制御部１１は、第１センサから取得した生体信号が異常であるが第２生体情報が正常である場合、第１センサの装着異常に係る報知を行う（例えば図５に示すようなテクニカルアラームの出力、又は図６に示すような装着異常を知らせる表示を行う）。また制御部１１は、第１センサから取得した生体信号が異常であって第２生体情報も異常である場合、図４に示すように通常アラームを緊急レベルのアラームに変更したり、アラームのボリュームを大きくしてもよい。
【００５６】
（他の実施例２）
また生体情報モニタ１は、複数の生体情報（例えば呼吸数とＳｐＯ２）を測定しておき、そのうちの一つのみが異常となった場合に、測定を停止している生体情報に係るセンサの駆動を開始してもよい。以下、詳細を説明する。
【００５７】
患者Ｐは、複数のセンサ（以下の例では呼吸測定用マスクとＳｐＯ２プローブとする。）を装着する。インターフェイス部１６は、これらの複数のセンサと接続可能に構成されている。制御部１１には、インターフェイス部１６を介して呼吸にかかる生体信号とＳｐＯ２にかかる生体信号が入力される。制御部１１は、これらの複数種類の生体信号から複数種類の生体情報を測定する。本例では制御部１１は、呼吸に関する生体情報（例えば呼吸数、呼吸波形）とＳｐＯ２に関する生体情報（測定値、測定波形）を算出し、各生体情報について異常となっているかを常時判定する。
【００５８】
複数種類の生体情報のうち一部のみが異常となった場合（例えばＳｐＯ２の測定値のみが異常となり、呼吸数等は正常である場合）、制御部１１は停止中であったセンサ（本例ではカフ）を駆動して他の生体情報（本例では非観血血圧）の測定を開始する。一方、複数種類の生体情報の全て（本例では呼吸とＳｐＯ２）が異常となった場合、制御部１１は患者異常のアラームの出力を行う。
【００５９】
患者の急変が生じた場合には循環器系の異常等に起因することが多く、循環器系の異常は複数種類の生体情報の異常を同時に引き起こすケースが多い。一方、一つの生体情報のみが異常となっている場合、センサの装着不良（接触不良）の可能性が比較的高い。そのため、複数の生体情報のうち一部のみが異常となった場合には、停止中であった生体情報の測定を行うことによって患者の状態の詳細を正確に把握しやすくなる。
【符号の説明】
【００６０】
１  生体情報モニタ
１１  制御部
１２  メモリ
１３  報知部
１４  ディスプレイ
１５  スピーカ
１６  インターフェイス部
１７  記憶部
Ｐ  患者
Ｓ１〜Ｓ２  センサ
【図１】
2019165913.tif 000003
【図２】
2019165913.tif 000004
【図３】
2019165913.tif 000005
【図４】
2019165913.tif 000006
【図５】
2019165913.tif 000007
【図６】
2019165913.tif 000008